(57)【要約】      （修正有）【課題】製造費の低減が図れ、奏者が必要とするパッド数に合わせて増減が可能である電子打撃楽器のパッド構造の提供。【解決手段】第一パッド部と、第一パッド部と固着するフレームと、少なくとも一つ第二パッド部とを具備し、第一パッド部と第二パッド部は一体成型で、第二パッド部は配線検知装置を設置し、配線検知装置は留め具の使用を通して第一パッド部と接続し、第二パッド部から発する信号を第一パッド部に伝送する。【選択図】図５
0003137160.tif 000002
【実用新案登録請求の範囲】
【請求項１】
第一パッド部と、
間隔を隔てて第一パッド部の周囲を囲み、前記第一パッド部と固着するフレームと、
留め具を使用して該第一パッド部を締める少なくとも一つの第二パッド部とからなり、
該第一パッド部と該第二パッド部は一体成型されていて、
該第二パッド部は配線検知装置を具備し、
留め具を介して該第一パッド部に接続した配線検知装置は、該第二パッド部から発する信号を該第一パッド部に伝送可能に構成したことを特徴とする電子打楽器のパッド構造。
【請求項２】
電子打楽器はユーザーがスティックにより該パッドを打撃するためのドラムであることを特徴とする請求項１記載の電子打楽器のパッド構造。
【請求項３】
前記第一パッド部は主要なパッド構造であり、さらに該第一パッド部の中央にセンサーを設置したことを特徴とする請求項１記載の電子打楽器のパッド構造。
【請求項４】
前記第一パッド部は別に該第二パッド部を収容する少なくとも一個の留め槽を備えることを特徴とする請求項１記載の電子打楽器のパッド構造。
【請求項５】
前記第一パッド部はさらにプラスチック板、或いは金属を覆蓋するゴム、発泡材或いは網状材料の被覆材を設置し、被覆材により該第一パッド部の中央に設置したセンサーを保護することを特徴とする請求項１記載の電子打楽器のパッド構造。
【請求項６】
前記フレームのリム部分で、該第一パッド部と該第二パッド部の共鳴の影響を受けることを防止することを特徴とする請求項１記載の電子打楽器のパッド構造。
【請求項７】
前記第二パッド部は独立したセンサーの付属パッド構造であることを特徴とする請求項１記載の電子打楽器のパッド構造。
【請求項８】
前記留め具はネジとボルトからなり、これらのネジは該第二パッド部を該第一パッド部に固定するのに用いられることを特徴とする請求項１記載の電子打楽器のパッド構造。
【請求項９】
前記センサーは複数のブザー、或いは圧電薄膜により構成することを特徴とする請求項１記載の電子打楽器のパッド構造。
【請求項１０】
前記信号は該第二パッド部、或いは該第一パッド部の打撃動作に対して加えられることを特徴とする請求項１記載の電子打楽器のパッド構造。
【考案の詳細な説明】
【技術分野】
【０００１】
本考案は電子打撃楽器のパッド構造に関し、特にカスタマイズにつれて、パッドモジュールの方式を減少、増加して生産コストと価格の低減を図る電子打撃楽器のパッド構造に関わるものである。
【背景技術】
【０００２】
科学技術の発展に従い、電子ドラム等の電子打楽器の外観は従来のドラムの外観までを模擬するところに来ている。
電子打楽器は奏者がバチ（スティック）で打撃するためのパッドを具備する。
パッドの表面はバチの打撃力が加わる網状体で構成されている。
電子打楽器はパッド表面に作用する打撃力を電気的な信号としてとらえ、検出した信号を元に信号処理を行なった後に音楽音響として出力するように構成されている。
また、強い衝撃力を受けるパッドの表面は、表面張力を強化するために網状体の多くは特殊部材により作られている。
【考案の開示】
【考案が解決しようとする課題】
【０００３】
図１に従来の電子打楽器の概略図を示す。
パッド１０はフレーム１１及びドラム表面１２を備える。
通常、ドラム表面は第一網製品（図示せず）と第二網製品（図示せず）を備え、各網体は平織編み加工より構成されている。
前記した各網製品は縦糸と横糸が直角になるように編成されていて、第一網製品と第二網製品の縦糸と横糸が互いに斜めに交錯するように各網製品を重ね合わせて配置されている。
前記第一網製品と前記第二網製品は、接着、又は収束しその端部を前記フレーム１１に接着している。
前記した第一網製品が斜め方向より第二網製品と交差することと、第一網製品に備える当該縦方向と横方向繊維は互いに直角に交叉することとは、該第一網製品と該第二網製品の隣り合う繊維が直角にて重ね合って交叉することをいう。
【０００４】
すなわち、該ドラム表面１１の網方式はドラム表面の打撃による衝撃力に堪えられる。
しかしながら、生産工程が複雑となるだけでなく二つの網製品の使用により製造費が大幅にアップする。
【０００５】
この他に、従来の打楽器は複数のパッドにより構成するため、清算工程の複雑化と費用が増加する。これにより、奏者個人が必要とするパッド数に合わせて増減ができない。
【０００６】
本考案は前記した種々の欠点を克服するために成されたものである。
【課題を解決するための手段】
【０００７】
本考案の主な目的電子打撃楽器のパッド構造を提供することをとする。前記の目的を達成するため、本考案の打撃構造は第一パッド部、フレーム、及び少なくとも一つ以上の第二パッド部より構成する。
該第一パッド部は間隔を空ける方法により周囲を囲み固着し、該第二パッド部は留め具より該第一パッド部に締める。該第一パッド部と該第二パッド部は一体成型で、該第二パッド部は配線検知のセンサーを設置し、該配線検知は留め具の使用を通して該第一パッド部と接続し、該第二パッド部位から発生する信号を該第一パッド部に伝送することを特徴とする電子打楽器のパッド構造を提供する。
【０００８】
打撃により打撃を検出し音楽音響を出力できる電子打撃楽器のパッド構造を提供することを本考案もう一つの目的とする。該打撃楽器はパッド、インターフェイス及び音響信号出力装置より構成する。
該パッドは、ユーザーがスティックをその上部に打撃して、オディオ信号を発生させセンサーより受信する。該信号のインターフェイスにより、オーディオ信号に変換する。
該オーディオ出力装置は引き続き、該オーディオ信号を音楽音響信号として出力する。
該パッドは、該第一パッド部及び一つ以上の第二パッド部より構成する。該インターフェイスはオーディオ信号処理インターフェイスにより、さらに複数のコンバータ、一つの処理ユニット、入力ユニット、及び保存ユニットより構成する。
該オーディオ信号出力装置はスピーカー又はアンプより構成する。
本考案の目的、並びに技術的特徴のさらなる理解を図るため、以降に本考案の詳細な説明について説明する。
【考案を実施するための最良の形態】
【０００９】
以下図面を参照しながら本考案の実施例について説明する。
【実施例１】
【００１０】
本実施例の説明にあたり、前記したパッド構造と同一の構成要素は同じ番号を付して説明する。
【００１１】
図２、３、４及び図５は、本考案による打撃構造の概略図である。
該パッド２０は電子打撃楽器に応用される。
該パッド２０は第一パッド部２１、フレーム２２及び少なくとも一つの第二パッド部より構成する。
該第一パッド部２１は間隔を空けて、該フレーム２２により固持し囲まれる。
第二パッド部２３はねじ２４、２５（背面に取り付ける）及び一つ以上のスティック２２１により該第一パッド部２２１に締める。
該第一パッド部２１と該第二パッド部２３は一体化成型により製作される。
該第二パッド部２３に配線検知（図示せず）を備えたセンサー２６を備える。
該配線検知は留め具により第一パッド部２１に締め、該第二パッド部２３より発生する信号を該第一パッド部２１に伝送する。
【００１２】
該パッド２０はユーザーがスティックにより打撃するドラムであり、該第一パッド部２１は主なパッドである。
その上部は第一パッド部２１に取り付けるセンサー２９を設ける。
該第一パッド部２１はさらにゴム、発泡材又は網状材料２７をプラスチック板あるいは金属部材の被覆材を被せておいて、センサー８０の該パッド２１の打撃による損害を避ける。
該フレーム２２はエコー（共鳴）による該第一パッド部２１及び該第二パッド部２３への影響を防止する縁部分に取り付ける。
該第二パッド部２３は独立されたセンサーの付属パッドである。
ねじ２４、２５は第二パッド部２３を該第一パッド部２１に締めるものである。
該センサー２６は複数のブザー又は圧電薄膜より構成する。
該信号は該第二パッド部２３又は該第一パッド部２１に打撃するときに発生するものである。
このほか、第一パッド部２１の背面に少なくとも一つ以上の溝２８を設け、該第二パッド部２３を収容する。
これにより、ユーザーの需要に従い該第二パッド部２３の増減でき、カスタマイズを実現し、製造コストと価格を軽減できる。
【００１３】
図６はもう一つタイプの電子打撃楽器のパッドである。
該パッド６０は第一パッド部６１、フレーム６２及び第二パッド部６３を含む。
第一パッド部６１はさらにゴム、発泡材又は網状材料６４を設け、該第一パッド部６１中心部のセンサー６８は第一パッド部６１の打撃による損傷から保護する。
該フレーム６２は間隔を空けて、ねじ６５、６５１により該第一パッド部６１に嵌め込む。
該第二パッド部６３はそれぞれにセンサー６６、６７を該第一パッド部６１の頂部と底部に設けて、該第一パッド部６１に備えるセンサー６８と同じ信号を発生させる。
【００１４】
図７は図４と図６に示す電子打撃楽器に使用する網状材料の構造である。
該網状材料７０の生産方法は複数の平織による複数の経方向繊維７０１と緯方向繊維を重ね合って形成する。
当該経方向繊維７０１と緯方向繊維７０２は９０度のθ角で交叉する。
該網状材料７０は打撃による衝撃を受け止められるため、従来技術のような二層網構造の必要はない。
図２に示すように、該網状材料７０は該第一パッド部８１に締め、第一パッド部８１に備えるセンサー８０を保護する。
【００１５】
前記したパッドにより、本案の電子打撃楽器システムを構成する。
図８は本考案の電子打撃楽器の概略図である。
該電子打撃楽器システムは打撃を検出、音楽音響信号を出力し、パッド８１、インターフェイス８２及びオーディオ信号出力装置８３より構成する。
該パッド８１はユーザー（図示せず）がスティックを用いて打撃し、発生信号は複数のセンサー８０により受信される。
該インターフェイス８２は当該信号を処理した上、オーディオ信号に変換する。該オーディオ信号出力装置８３より当該信号を受信し、音楽音響信号を出力する。
【００１６】
図９は本考案の電子打撃楽器の細部ブロック図である。
複数のセンサー９０１はパッド９０に加わる打撃を検出して、信号を生成する。
インターフェイス９１はオーディオ信号処理するためのインターフェイスであり、二つのコンバータ９２、９３、処理ユニット９４、入力ユニット９５、及び保存ユニット９６を備える。
当該センサー９０１はさらに、アナログーデジタル（Ａ／Ｄ）コンバータ９２と該デジタルーアナログ（Ｄ／Ａ）コンバータを備える。該アナログーデジタル（Ａ／Ｄ）コンバータは当該センサー９０１より検出された信号のアナログーデジタル変換を行う。
該処理ユニット９４は当該アナログーデジタルコンバータより変換されたデジタル信号の処理器である。
なお、該入力ユニット９５はユーザー（図示せず）より入力した音色、設定レベル、音調などの入力された指令を該処理ユニット９４に入力する。
該保存ユニット９６は該処理ユニット９４によって処理されたソフトウエア又はプログラムを保存する。
当該指令に従い、該処理ユニット９４は該ソフトウエア又はプログラムによる当該デジタル信号処理を実行しデジタル信号音楽音響信号を生成した上、該オーディオ信号出力装置８３に出力する。
該デジタル・アナログコンバータ９３により、当該デジタル信号音楽音響信号をアナログ音楽音響信号に変換して、該オディオ信号出力装置８３に伝送する。
該オーディオ信号出力装置８３はスピーカー又はアンプを設けることが好ましい。
さらに、該処理ユニット９４は当該信号のうち、図２に示す該パッド構造の第一パッド部と第二パッド部に打撃したときの位置情報を判別できる。
【図面の簡単な説明】
【００１７】
【図１】従来の打撃装置の概略図である。
【図２】本考案に係る打撃構造の概略図である。
【図３】本考案に係る打撃構造背面の概略図である。
【図４】本考案に係る打撃構造横断面図である。
【図５】本考案に係る打撃構造正面、背面及び透視の概略図である。
【図６】本考案に係るパッドもう一つの実施例の概略図である。
【図７】図４と図６に示す電子打撃楽器構造で使用する網状材料の概略図である。
【図８】本考案に係る打撃楽器の概略図である。
【図９】本考案に係る打撃楽器の詳細ブロック図である。
【符号の説明】
【００１８】
１１            ドラム表面
１１            フレーム
１２            ドラム表面
２０            パッド
２１            第一パッド部
２２１            スティック
２２            フレーム
２３            第二パッド部
２４、２５        ねじ
２６            センサー
２８            溝
２９            センサー
６０            パッド
６１            第一パッド部
６２            フレーム
６３            第二パッド部
６４            網状材料
６５、６５１        ねじ
６６、６７        センサー
７０            網状材料
７０１            経方向繊維
７０２            緯方向繊維
８０            センサー
８１            パッド
８２            インターフェイス
８３            オーディオ出力装置
９０            パッド
９０１            センサー
９１            インターフェイス
９２、９３        コンバータ    
９４            処理ユニット
９５            入力ユニット
９６            保存ユニット
【図１】
0003137160.tif 000003
【図２】
0003137160.tif 000004
【図３】
0003137160.tif 000005
【図４】
0003137160.tif 000006
【図５】
0003137160.tif 000007
【図６】
0003137160.tif 000008
【図７】
0003137160.tif 000009
【図８】
0003137160.tif 000010
【図９】
0003137160.tif 000011